(57)【要約】【課題】人の手を介することなく着座ないし収納が可能であり、非常に利便性が高い椅子を提供する。【解決手段】床面に立設される脚部１１と、該脚部１１の上端側に支持され使用者が着席する座面部２０と、前記脚部１１と前記座面部２０との間に介在された弾性部材３０とを少なくとも備え、座面部２０は、未使用時には前記弾性部材３０の付勢力により傾斜した状態に保持され、傾斜した状態の座面部２０は、使用者が着座すると使用者の重みにより、弾性部材３０の付勢力に抗して略水平な状態に変位し、略水平な状態の座面部２０は、使用者が離席した際には弾性部材３０の付勢力により、再び未使用時の傾斜した状態に自己復帰する。【選択図】図１
2007282828.tif 000002
【特許請求の範囲】
【請求項１】
床面に立設される脚部と、該脚部の上端側に支持され使用者が着席する座面部と、前記脚部と前記座面部との間に介在された弾性部材とを少なくとも備え、
前記座面部は、未使用時には前記弾性部材の付勢力により傾斜した状態に保持され、
前記傾斜した状態の座面部は、使用者が着座すると使用者の重みにより、前記弾性部材の付勢力に抗して略水平な状態に変位し、
前記略水平な状態の座面部は、使用者が離席した際には前記弾性部材の付勢力により、再び未使用時の傾斜した状態に自己復帰することを特徴とする椅子。
【請求項２】
床面に立設される脚部と、該脚部の上端側に支持され使用者が着席する座面部と、前記脚部と前記座面部との間に介在された弾性部材とを少なくとも備え、
前記座面部は、左右に分割された一対の片側座面部を合わせて成り、
前記各片側座面部は、それぞれ可動柱を介して前記脚部の上端側に、左右の両側下方へ傾斜した状態と、左右に並ぶ略水平な状態とに揺動可能に支持され、
前記弾性部材は、前記各片側座面部と前記脚部の上端側とに連結され、前記各片側座面部を傾斜した状態に付勢し、
前記座面部は、未使用時には、前記各片側座面部が前記弾性部材の付勢力により前記傾斜した状態に保持され、
前記傾斜した状態の座面部は、使用時に使用者が前記各片側座面部に着座すると、使用者の重みにより前記弾性部材の付勢力に抗して略水平な状態に揺動し、
前記略水平な状態の座面部は、使用者が離席した際には、前記弾性部材の付勢力により再び未使用時の傾斜した状態に自己復帰することを特徴とする椅子。
【発明の詳細な説明】
【技術分野】
【０００１】
本発明は、床面に立設される脚部と、該脚部の上端側に支持され使用者が着席する座面部と、前記脚部と前記座面部との間に介在された弾性部材とを少なくとも備えた椅子に関する。
【背景技術】
【０００２】
従来、この種の椅子としては、床面に固定された揺動収納式椅子であって、不使用時に着座部が前方に揺動するという発明が知られている（例えば、特許文献１参照。）。具体的には、着座部を非平行四節リンクによって不使用時に前方に傾かせておくことが可能であるため、後方が広くとれ通路が使用しやすくなるといった利点があった。
【０００３】
また、杖と携帯用簡易椅子の機能を兼ね備えた開脚式携帯用椅子兼用杖であって、椅子の脚部がワンタッチで開脚するという発明も知られている（例えば、特許文献２参照。）。具体的には、椅子として使用する際に脚となる杖本体部と、座部となる握り部から構成された兼用杖において、バネの力を脚部に備わった引き出し棒に作用させ脚を押し出すことにより、ワンタッチで椅子の脚部を開脚するというものである。
【０００４】
【特許文献１】特開２００２−２８０４３号公報
【特許文献２】特開２００３−６１７２１号公報
【発明の開示】
【発明が解決しようとする課題】
【０００５】
しかしながら、前述した特許文献１に記載の揺動収納式椅子では、不使用時に着座部の後方にて通路確保は可能であるが、例えば遊技場の椅子に適用した場合は、遊技者同士の間隔が狭い環境下において左右どちらかの後方から前方に回り込んでから着席するという特徴があるため、着席の際に後方から前方に回り込みにくいといった問題点がある。
【０００６】
また、前述した特許文献２に記載の開脚式携帯用椅子兼用杖によると、バネの力を用いて椅子脚部の開脚を行うので、開脚した脚部を閉じる時に、使用者はバネの付勢力に抗する程の大きな力を加えなければならず、操作上の使い勝手が良くないという大きな問題があった。
【０００７】
本発明は、以上のような従来技術が有する問題点に着目してなされたものであり、椅子に着席する際に隣り合う椅子に着席している使用者および椅子自体が邪魔になることがなく、後方から前方へ回り込みやすいので着席が容易であり、しかも、着席時は使用者自身の重みにより座りやすい状態となり、離席時は、未使用時の着座しやすい状態へと自己復帰するので、人の手を介することなく着座ないし収納が可能であり、非常に利便性が高い椅子を提供することを目的としている。
【課題を解決するための手段】
【０００８】
前述した目的を達成するための本発明の要旨とするところは、以下の各項に存する。  
［１］床面に立設される脚部（１１）と、該脚部（１１）の上端側に支持され使用者が着席する座面部（２０）と、前記脚部（１１）と前記座面部（２０）との間に介在された弾性部材（３０）とを少なくとも備え、
前記座面部（２０）は、未使用時には前記弾性部材（３０）の付勢力により傾斜した状態に保持され、
前記傾斜した状態の座面部（２０）は、使用者が着座すると使用者の重みにより、前記弾性部材（３０）の付勢力に抗して略水平な状態に変位し、
前記略水平な状態の座面部（２０）は、使用者が離席した際には前記弾性部材（３０）の付勢力により、再び未使用時の傾斜した状態に自己復帰することを特徴とする椅子（１０）。
【０００９】
［２］床面に立設される脚部（１１）と、該脚部（１１）の上端側に支持され使用者が着席する座面部（２０）と、前記脚部（１１）と前記座面部（２０）との間に介在された弾性部材（３０）とを少なくとも備え、
前記座面部（２０）は、左右に分割された一対の片側座面部（２１ａ，２１ｂ）を合わせて成り、
前記各片側座面部（２１ａ，２１ｂ）は、それぞれ可動柱（２３）を介して前記脚部（１１）の上端側に、左右の両側下方へ傾斜した状態と、左右に並ぶ略水平な状態とに揺動可能に支持され、
前記弾性部材（３０）は、前記各片側座面部（２１ａ，２１ｂ）と前記脚部（１１）の上端側とに連結され、前記各片側座面部（２１ａ，２１ｂ）を傾斜した状態に付勢し、
前記座面部（２０）は、未使用時には、前記各片側座面部（２１ａ，２１ｂ）が前記弾性部材（３０）の付勢力により前記傾斜した状態に保持され、
前記傾斜した状態の座面部（２０）は、使用時に使用者が前記各片側座面部（２１ａ，２１ｂ）に着座すると、使用者の重みにより前記弾性部材（３０）の付勢力に抗して略水平な状態に揺動し、
前記略水平な状態の座面部（２０）は、使用者が離席した際には、前記弾性部材（３０）の付勢力により再び未使用時の傾斜した状態に自己復帰することを特徴とする椅子（１０）。
【００１０】
前記本発明は次のように作用する。  
前記［１］に記載の椅子（１０）によれば、脚部（１１）の上端側に支持されている座面部（２０）は、未使用時には弾性部材（３０）の付勢力により傾斜した状態に保持される。この傾斜した状態では、座面部（２０）が傾斜している分だけ、略水平方向に拡がる面積が小さくなる。これにより、例えば、遊技場において遊技機島（１）の前方に複数並べて設置した場合、椅子（１０）に着席する際に、隣り合う椅子（１０）に着席している遊技者および椅子（１０）が邪魔になることがなく、後方から前方へ回り込みやすいので容易に着席することができる。
【００１１】
傾斜した状態の座面部（２０）は、使用者が着座すると使用者の重みにより、弾性部材（３０）の付勢力に抗して略水平な状態に変位し、使用者が特別な操作を行うことなく着座可能な形態となる。さらに、略水平な状態の座面部（２０）は、使用者が離席した際には弾性部材（３０）の付勢力により、再び未使用時の傾斜した状態に自己復帰する。このように、着席時は使用者自身の重みにより座りやすい状態となり、離席時は未使用時の着座しやすい状態へと自己復帰するので、人の手を煩わすことなく着座ないし収納が可能である。
【００１２】
具体的には例えば、前記［２］に記載の椅子（１０）のように、座面部（２０）は、左右に分割された一対の片側座面部（２１ａ，２１ｂ）を合わせて成り、各片側座面部（２１ａ，２１ｂ）は、それぞれ可動柱（２３）を介して脚部（１１）の上端側に、左右の両側下方へ傾斜した状態と、左右に並ぶ略水平な状態とに揺動可能に支持される。各片側座面部（２１ａ，２１ｂ）と脚部（１１）の上端側との間は弾性部材（３０）で連結されており、該弾性部材（３０）により、各片側座面部（２１ａ，２１ｂ）は傾斜した状態に付勢されている。
【００１３】
ここで各片側座面部（２１ａ，２１ｂ）は、互いに左右に対向する一端側が近接して、かつ左右の他端側が両側下方へ傾斜した状態に保持されている場合、特に両側方向における拡がる面積が小さくなるので、例えば椅子（１０）を複数並べて設置しても、未使用時の椅子（１０）同士の間隔を広くとることができ、着席時に後方から前方へと容易に回り込むことができる。
【００１４】
一方、各片側座面部（２１ａ，２１ｂ）が傾斜した状態の時に、上方へ出っ張って互いに対向した一端側から使用者が着座すると、そのまま各片側座面部（２１ａ，２１ｂ）は、使用者の重みにより弾性部材（３０）の付勢力に抗して、左右に略水平な状態まで揺動して、該略水平な状態に保持される。さらに、使用者が離席すると、各片側座面部（２１ａ，２１ｂ）は弾性部材（３０）の付勢力により、再び元の未使用時の傾斜した状態に自己復帰する。
【発明の効果】
【００１５】
本発明に係る椅子によれば、未使用時の座面部は座面が傾斜を持った状態で固定されているので、該傾斜した状態の座面部に着席する際、隣り合う椅子に着席している使用者および椅子が邪魔になることがなく、後方から前方へ回り込みやすいので着席が容易となる。加えて着席時は、使用者の重みにより、傾斜していた座面部が略水平な座りやすい状態となり、離席時は弾性部材の付勢力により、座面部が、未使用時の傾斜した状態へと自己復帰するので、人の手を介することなく着座ないし収納が可能であり、非常に利便性が高い。
【発明を実施するための最良の形態】
【００１６】
以下、図面に基づき本発明を代表する実施の形態を説明する。  
図１〜図３は、本発明の一実施の形態を示している。  
図１に示すように、椅子１０は、床面に立設される脚部１１と、該脚部１１の上端側に支持され使用者が着席する座面部２０と、前記脚部１１と前記座面部２０との間に介在された弾性部材３０とを少なくとも備えて成る。以下、遊技場において遊技機島１の前方に複数並べて設置した遊技椅子として用いられる場合を例に説明する。
【００１７】
図３に示すように、遊技機島１は、複数のパチンコ機である遊技機２と球貸機３とを交互に並べて列設して構築されている。この遊技機島１の前方の床面上に、各遊技機２ごとに対応して椅子１０が左右に等間隔で並ぶように配設されている。図１に示すように、椅子１０の脚部１１は、床面に台座１２を介して垂直な状態に立設されている。脚部１１の上端側には、弾性部材３０を連結するためのバネ支持体１３と、その上方で座面部２０を支持するための基部１４が設けられている。
【００１８】
座面部２０は、左右に分割された一対の片側座面部２１ａ，２１ｂを合わせて成る。各片側座面部２１ａ，２１ｂは、例えば、底面側のフレームにクッションを被覆する等して構成されており、それぞれ互いに対向する長方形あるいは半円形等であり、略水平な同一平面上に左右に連なる際、使用者が着座しやすい大きさおよび形状に設けられている。
【００１９】
各片側座面部２１ａ，２１ｂの互いに対向する一端側の裏面には、それぞれ座面支持体２２が設けられている。各座面支持体２２は、それぞれ可動柱２３を介して脚部１１の基部１４に、各片側座面部２１ａ，２１ｂが左右の両側下方へ傾斜した状態と、各片側座面部２１ａ，２１ｂが左右に並ぶ略水平な状態とに揺動可能に支持されている。
【００２０】
詳しく言えば、各可動柱２３は、それぞれ下端部が基部１４に対して、図１に示す略鉛直に立ち上がる位置と、図２に示す側方に約４５度傾く位置との間で、それぞれ互いに接近ないし離隔するよう左右方向に揺動可能に連結されている。また、各可動柱２３の上端部には、それぞれ座面支持体２２がその中心軸を間にして、左右に約４５度ずつ傾く位置に係止できるよう左右方向に揺動可能に連結されている。
【００２１】
弾性部材３０は一対のコイルバネから成り、それぞれ一端は、脚部１１の上端側にあるバネ支持体１３の両端に連結され、それぞれ他端は、各片側座面部２１ａ，２１ｂの互いに左右に離隔した両側部の裏面に連結されている。弾性部材３０は、各片側座面部２１ａ，２１ｂが左右の両側下方へ傾斜した状態となるように付勢している。
【００２２】
次に、本実施の形態に係る椅子１０の作用を説明する。  
図１に示すように、座面部２０の未使用時に、各片側座面部２１ａ，２１ｂは、それぞれ各座面支持体２２を支点として、バネ支持体１３との間に連結されている弾性部材３０の付勢力により、バネ支持体１３側に引っ張られる（図１中の矢印方向）。これにより、各片側座面部２１ａ，２１ｂを支える各可動柱２３は、それぞれ略鉛直に平行に立ち上がり、かつ各可動柱２３の上端に連結された各座面支持体２２を支点として、各片側座面部２１ａ，２１ｂは、左右の両側下方へ鉛直方向より約４５度ずつ左右対称に傾斜した状態に保持される。
【００２３】
このように各片側座面部２１ａ，２１ｂは、互いに左右に対向する一端側が近接して、かつ左右の他端側が両側下方へ傾斜した状態に保持されている場合、特に両側方向における拡がる面積が小さくなる。従って、図３に示すように、遊技場において遊技機島１の前方に椅子１０を複数並べて設置しても、未使用時の椅子１０同士の間隔（図３中でＷ１＜Ｗ２＜Ｗ３）を広くとることができ、隣り合う椅子１０に着席している遊技者および椅子１０が邪魔になることがなく、着席する際には後方から前方へ回り込みやすいので容易に着席することができる。
【００２４】
各片側座面部２１ａ，２１ｂが左右の両側下方へ傾斜した状態の時には、上方に出っ張って互いに対向した一端側から使用者は着座する。図２において使用者（遊技者）の重みにより、各片側座面部２１ａ，２１ｂの互いに対向する一端側同士は、弾性部材３０の付勢力に抗して各可動柱２３の上下の連結部を支点とする揺動に伴い、バネ支持体１３側である下方に押圧される（図２中の矢印方向）。
【００２５】
すると、基部１４と各座面支持体２２に連結された各可動柱２３が、各片側座面部２１ａ，２１ｂを略水平な状態に保つ所定の位置にて固定され、使用者は略水平な状態に保持された座面部２０に安定して快適に着座することができる。このように、椅子１０は、使用者が手で特別な操作を行うことなく、使用者が着座する動作だけで着座可能な形態に変位する。
【００２６】
さらに、略水平な状態の座面部２０は、使用者が離席した際には弾性部材３０の付勢力により、再び元の未使用時の傾斜した状態に自己復帰する。このように、椅子１０からの離席時に、座面部２０の各片側座面部２１ａ，２１ｂは、未使用時の後方から回り込んで着座しやすい状態へと自己復帰するので、元に戻すような特別な操作も不要であり、人の手を煩わすことなく容易に傾斜した状態に収納することができる。
【００２７】
以上、本発明の実施の形態を図面によって説明してきたが、具体的な構成は前述した実施の形態に限られるものではなく、本発明の要旨を逸脱しない範囲における変更や追加があっても本発明に含まれる。例えば、脚部１１や座面部２０の形状は図示したものに限られることはない。
【図面の簡単な説明】
【００２８】
【図１】本発明の実施の形態に係る椅子（未使用時）を示す正面図である。
【図２】本発明の実施の形態に係る椅子（使用時）を示す正面図である。
【図３】本発明の実施の形態に係る椅子を遊技場の遊技機島前方に設置した状態を示す説明図である。
【符号の説明】
【００２９】
１…遊技機島
２…遊技機
３…球貸機
１０…椅子
１１…脚部
１２…台座
１３…バネ支持体
１４…基部
２０…座面部
２１ａ，２１ｂ…片側座面部
２２…座面支持体
２３…可動柱
３０…弾性部材
【図１】
2007282828.tif 000003
【図２】
2007282828.tif 000004
【図３】
2007282828.tif 000005